(57)【要約】  本発明は、眼鏡フレーム（２）の複数の構成部品を互いに取り付けるための装置に関する。当該装置は、フレームの第１の構成部品に接続され、且つフレームの第２の構成部品に接続された第２の取付け要素に差し込まれる第１の取付け要素と、第１の取付け要素と第２の取付け要素との間で、差込み方向（Ｘ）に対して横方向に着脱自在に作動して、フレームの第１の構成部品と第２の構成部品とを互いに取り付けるロックピン（９）と、を備える。第１の取付け要素は、共通の基部（１１）から同じ方向に延在するように互いから離間して形成された一対の分枝部（１０ａ，１０ｂ）を備え、第２の取付け要素は、対向する内壁（１４ａ，１４ｂ，１５ａ，１５ｂ）を有する座部（１３）を備える。座部（１３）は、差込み軸方向（Ｘ）において、座部の対向する内壁同士の間で分枝部（１０ａ，１０ｂ）の対を保持する。また、座部（１３）は、差込み方向（Ｘ）に対して横方向に、ロックピン（９）を回転可能に保持する開口部（２０）と交差する。ピンは、分枝部（１０ａ，１０ｂ）が座部（１３）内に挿入されたときに分枝部同士の間に介在する中間部（９ｂ）を有する。ピン中間部（９ｂ）は、ピン（９）が第１の位置まで回転されたときにピン中間部が分枝部（１０ａ，１０ｂ）と干渉することなく分枝部から一定の距離を保つように、また、ピン（９）が第２の位置まで回転されたときにピン中間部（９ｂ）が分枝部（１０ａ，１０ｂ）のそれぞれと干渉するようになされている。この干渉によって、分枝部（１０ａ，１０ｂ）には、各分枝部が互いから離れて座部（１３）の対応する壁面にそれぞれ当接するように弾性応力が加えられて、取付け要素同士が相対的に取り付けられる。【選択図】図１
2019519817.tif 000002
【特許請求の範囲】
【請求項１】
眼鏡フレーム（２）の複数の構成部品を互いに取り付けるための装置であって、
前記フレームの第１の構成部品に接続され、且つ前記フレームの第２の構成部品に接続された第２の取付け要素内に差込まれる第１の取付け要素と、
前記第１の取付け要素と前記第２の取付け要素との間で、差込み方向（Ｘ）に対して横方向に着脱自在に作動して、前記フレームの前記第１の構成部品と前記第２の構成部品とを互いに取り付けるロックピン（９）と、
を備え、
−  前記第１の取付け要素は、共通の基部（１１）から同じ方向に延在するように互いから離間して形成された一対の分枝部（１０ａ，１０ｂ）を備え、
−  前記第２の取付け要素は、対向する内壁（１４ａ，１４ｂ，１５ａ，１５ｂ）を有する座部（１３）を備え、前記座部（１３）は、前記差込み軸方向（Ｘ）において、前記座部の対向する前記内壁同士の間で前記分枝部（１０ａ，１０ｂ）の対を保持し、
−  前記座部（１３）は、前記差込み方向（Ｘ）に対して横方向に、前記ロックピン（９）を回転可能に保持する開口部（２０）と交差し、
−  前記ピン（９）は、前記分枝部（１０ａ，１０ｂ）が前記座部（１３）内に挿入されたときに前記分枝部同士の間に介在する中間部（９ｂ）を有し、
−  前記ピン中間部（９ｂ）は、前記ピン（９）が第１の位置まで回転されたときに前記ピン中間部が前記分枝部（１０ａ，１０ｂ）と干渉することなく前記分枝部から一定の距離を保つように、また、前記ピン（９）が第２の位置まで回転されたときに前記ピン中間部（９ｂ）が前記分枝部（１０ａ，１０ｂ）のそれぞれと干渉するようになされ、前記干渉によって、前記分枝部（１０ａ，１０ｂ）には、各分枝部が互いから離れて前記座部（１３）の対応する壁面にそれぞれ当接するように弾性応力が加えられて、前記取付け要素同士が相対的に取り付けられることを特徴とする、
装置。
【請求項２】
前記開口部（２０）は、前記フレームの前記第２の構成部品の前記座部（１３）に対向する側において同軸に形成される一対の円形孔（２０ａ，２０ｂ）によって画定され、
前記孔は、前記ピンの前記中間部（９ｂ）の両側から軸方向に延在する一対の部分（９ａ，９ｃ）を回転可能に保持し、
前記孔（２０ａ，２０ｂ）の少なくとも一方は、前記開口部（２０）内に前記ロックピン（９）を挿入するための貫通孔として形成される、
請求項１に記載の装置。
【請求項３】
前記ピン中間部（９ｂ）は、軸方向に非対称の輪郭を有して形成される、
請求項２に記載の装置。
【請求項４】
前記ピン中間部（９ｂ）の断面は、楕円形の形状を有する、
請求項３に記載の装置。
【請求項５】
前記ピン中間部（９ｂ）の断面は、部分円形の形状を有する、
請求項３に記載の装置。
【請求項６】
前記ピン中間部（９ｂ）の断面は、軸方向において、前記中間部（９ｂ）の両側に形成された前記ピン部分（９ａ，９ｃ）のそれぞれの断面の輪郭より小さい輪郭を有する、
請求項１〜５のいずれか１項に記載の装置。
【請求項７】
前記中間部（９ｂ）の両側に形成された前記ピン部分の一方（９ａ）は、一方の自由端において、前記第１の位置と前記第２の位置との間で前記ロックピン（９）を回転させる操作ツールと係合するように形成された表面を有する、
請求項１〜６のいずれか１項に記載の装置。
【請求項８】
前記分枝部（１０ａ，１０ｂ）は、主に長手方向に延在し、前記分枝部が前記座部内に挿入されたときに、前記座部の対応する壁面に対向するよう意図された表面部分をそれぞれ有し、前記表面部分は、前記ロックピン（９）が前記第２の位置まで移動されたときに、互いに接触する表面同士の間の把持力を増大させる鋸歯状の輪郭（１２）をそれぞれ有する、
請求項１〜７のいずれか１項に記載の装置。
【請求項９】
前記座部（１３）は、前記第２のフレーム部品に形成された空洞によって画定され、対向する前記壁面（１４ａ，１４ｂ，１５ａ，１５ｂ）は、前記空洞の口部（１３ａ）から前記空洞の底部（１６）に向けて延在し、前記壁面は、前記底部（１６）に向けて、互いに近づくような輪郭または互いから離れるような輪郭を有する、
請求項１〜８のいずれか１項に記載の装置。
【請求項１０】
対応するレンズを支持するための前フレーム（４）および前記前フレーム（２）にヒンジ止めされる側方アーム（６）を含むフレーム（２）と、
請求項１〜９のいずれか１項に従って作製された前記フレームの構成部品を取り付けるための装置と、
を備える、
眼鏡。
【発明の詳細な説明】
【技術分野】
【０００１】
本発明は、主請求項１の前提部に記載された特徴を有する、眼鏡フレームの複数の構成部品を取り付けるための装置に関する。
【０００２】
また、本発明は、請求項１０に従って作製された上記取付け装置を備える眼鏡も含む。
【背景技術】
【０００３】
本発明は、特に、フレームの複数の構成部品を相対的に取り付ける手段および装置を用いて組み立てられる眼鏡の分野に含まれる。
【０００４】
上記に関連して、「フレームの構成部品」という用語は、例えば、眼鏡のアームの結合突起部、レンズ保持リム同士を中央で接続するように延在する鼻用支持ブリッジ、前フレームの各レンズ保持フレーム半部（each of the front lens-holder half-frames）、各アームまたはその一部、アームを突起部に結合するヒンジ等、フレームにおいて認識可能な全ての構成部品を含むよう意図されている。フレームにおいて互いに隣接するこれらの構成部品の対を、適切な取付け手段を用いてそれぞれ恒久的または着脱自在に互いに接続することにより、眼鏡フレームを作製することができる。
【発明の概要】
【発明が解決しようとする課題】
【０００５】
本発明の主な目的は、眼鏡フレームの複数の構成部品を互いに取り付けるための装置を提供することである。この装置は、フレームの部品を簡単且つ迅速に互いに嵌合するのに有効であると同時に、恒久的な取付けシステムまたは一時的な取付け手段のいずれかが望ましい場合において、接続された部品が適切に保持されることを確実にする。
【課題を解決するための手段】
【０００６】
以下でより明らかになる上述した目的および他の目的は、添付の請求項に記載された特徴を有する装置によって達成される。
【図面の簡単な説明】
【０００７】
本発明の特徴および利点は、添付図面を参照して、非制限的な一例として以下に例示する本発明のいくつかの好適な実施例の詳細な説明によって明らかになるであろう。
【図１】本発明に従って作製された、フレームの複数の構成部品を取り付けるための装置を有する眼鏡の斜視図である。
【図２】本発明の装置を用いて取り付けられる図１のフレーム構成部品の拡大斜視図である。
【図３】図２の構成部品の正面図である。
【図４】図２の構成部品の平面図である。
【図５】本発明の取付け装置を用いて図２の構成部品に接続される、図１のフレームの第２の構成部品の部分断面斜視図である。
【図６】本発明の取付け装置の細部の斜視図である。
【図７】図６の細部の側面図である。
【図８】図７のＶＩＩＩ−ＶＩＩＩ線に沿った断面図である。
【図９】図６の細部の変形例であり、図８の断面図に相当する断面図である。
【図１０】図６の細部が嵌合された状態を示す、図５の細部の断面図である。
【図１１】本発明の装置を用いてフレームの複数の構成部品を互いに取り付ける工程を示す操作シーケンスの模式図である。
【図１２】本発明の装置を用いてフレームの複数の構成部品を互いに取り付ける工程を示す操作シーケンスの模式図である。
【図１３】本発明の装置を用いてフレームの複数の構成部品を互いに取り付ける工程を示す操作シーケンスの模式図である。
【図１４】本発明の装置を用いてフレームの複数の構成部品を互いに取り付ける工程を示す操作シーケンスの模式図である。
【図１５】本発明の装置を用いてフレームの複数の構成部品を互いに取り付ける工程を示す操作シーケンスの模式図である。
【図１６】本発明の装置を用いてフレームの複数の構成部品を互いに取り付ける工程を示す操作シーケンスの模式図である。
【図１７】図１５の取付け工程に関連する装置の部分模式図である。
【図１８】図１６の取付け工程に関連する装置の部分模式図である。
【図１９】本発明による装置の別の部分斜視図である。
【図２０】取付け工程における装置の変形例の模式図である。
【図２１】別の取付け工程における図２０に示す装置の模式図である。
【図２２】取付け工程における装置の別の変形例の模式図である。
【図２３】別の取付け工程における図２２の装置の模式図である。
【発明を実施するための形態】
【０００８】
上述した図を参照すると、本発明の眼鏡が、全体として符号１によって示されている。眼鏡１は、取付け装置によって互いに取り付けられる一対または二対以上の構成部品を有するフレーム２を備える。当該装置は、全体として符号３によって示され、本発明に従って作製される。
【０００９】
フレーム２は、レンズ（図示せず）をそれぞれ支持する一対のレンズ保持リム５を有する前フレーム４と、一対の関節アーム６と、レンズ保持リム同士を中央で接続する中央ブリッジ７と、を備える。
【００１０】
各アーム６は、特定の技術分野では「突起部」としても知られる特定のヒンジ要素８によって、前フレームの両側のそれぞれの対応する端部にヒンジ止めされる。このヒンジ接続は、例えば、互いに対向する突起部／アームの対のそれぞれの端部に形成されるアイレットに係合するヒンジピンによって提供することができる。
【００１１】
上記に関連して、「フレームの構成部品」という用語は、例えば、前フレーム（または特定のレンズ保持リムの各フレーム半部）、中央接続ブリッジ、各アームまたはその一部（例えば、アームの端部）、各結合突起部、アームを結合させる各ヒンジ等、全ての単独の構成部品に関するよう意図されている。本発明は、互いに隣接して配置されたこれらのフレーム構成部品の対を互いに接続するための共通の取付け装置３に関する。
【００１２】
以下、取付け装置３を詳細に説明する。取付け装置３は、中央ブリッジ７を前フレーム４の各レンズ保持リム５に取り付けるようになされる。したがって、当該装置３は、上述した「フレームの構成部品」のそれぞれの対を互いに取り付けるように構成され得ることに留意されたい。
【００１３】
図２を参照すると、中央ブリッジ７の両側の端部は、特定のレンズ保持リム５にそれぞれ取り付けられようなされており、これにより、一対の取付け装置が構成される。各取付け装置は、同様の構造を有しながらブリッジ７の中央対称面に対して左右対称に配置されるため、以下ではその一方のみを説明する。
【００１４】
各装置３は、ブリッジ７に関連する第１の取付け要素を備える。第１の取付け要素は、対応するレンズ保持リム５に関連する第２の取付け要素に、Ｘによって示される軸方向に差し込まれる。さらに、各装置３は、第１の取付け要素と第２の取付け要素との間で差込み方向Ｘに対して横方向に作動して、ブリッジ７とそれに対応するリム５とを互いに取り付けるロックピン９を備える。
【００１５】
より具体的には、第１の取付け要素は、ブリッジ７の一方の端部と一体形成された共通の基部１１から同じ方向に延在するように互いから離間して形成された一対の分枝部１０ａ，１０ｂを備える。
【００１６】
互いに平行且つ互いから離間する上記分枝部１０ａ，１０ｂは、一対の細長いアームの形状となるように主に長手方向に延在する。各分枝部は、その自由端を始端とし、垂直且つ細長い第１の部分およびより小さい第２の部分を介して、取付け基部１１を終端とするように形成される。
【００１７】
分枝部のそれぞれの形状と大きさは、特に、分枝部が互いから離れるように移動した際に、弾性的に変形可能であるように選択される。
【００１８】
各分枝部１０ａ，１０ｂは、それぞれの第１の部分に沿って、鋸歯状の輪郭１２を含む特定の表面部分を有する。その機能については後述する。図３に明確に示すように、鋸歯状の輪郭は、分枝部１０ａ，１０ｂの外側の互いに反対側の表面部分にそれぞれ形成される。
【００１９】
第２の取付け要素は、リム５の対応する位置に形成される座部１３を備える。座部１３は、差込み軸方向Ｘに差し込まれた分枝部１０ａ，１０ｂの対を保持する。座部１３は、長方形の断面形状を有する口部１３ａを構成する貫通しない空洞として、リム５の肉厚部に形成さる。空洞内では、口部１３ａから空洞の底部１６に向けて、対向する二対の壁面１４ａ，１４ｂおよび１５ａ，１５ｂが延在する。
【００２０】
分枝部１０ａ，１０ｂは、対向する壁面の対の間で結合遊びを少々有しながら座部１３内で保持され、各分枝部１０ａ，１０ｂの鋸歯状の表面輪郭は、対応する壁面１５ａ，１５ｂにそれぞれ対向して実質的に当接する。
【００２１】
また、座部１３の空洞は、差込み軸方向に対して横方向に開口部２０と交差し、開口部２０内では、ロックピン９が回転可能に保持される。開口部は、レンズ保持リム５の肉厚部に横方向に形成され、同軸に形成される一対の孔２０ａ，２０ｂによって画定される。孔２０ａ，２０ｂは、同じ直径を有し、共に空洞の内部と連通するように空洞の両側に形成される。孔２０ａは、止まり穴として形成され、孔２０ｂは、貫通孔として形成される。すなわち、孔２０ｂは、ロックピンが挿入されるようにレンズ保持リム５の外側に開口する。有利には、孔２０ｂは、開口部２０に挿入されたロックピン９が外側から見えないように前フレーム４の内側に開口する。
【００２２】
孔２０ａ，２０ｂは、適切な円形の輪郭を有し、ピン９を回転可能に支持するように同じ直径を有する。
【００２３】
ピンは、互いに隣接して同軸になるよう軸方向に延在する３つの部分を有する。すなわち、ピンは、ピンのヘッド部を画定する第１の部分である円筒部９ａと、第２の部分である中間部９ｂと、第３の部分である円筒状の端部９ｃと、からなる。部分９ａおよび９ｃは、開口部２０の孔２０ｂ，２０ａにそれぞれ回転可能に結合するように、同じ直径の円形の断面形状を有する。
【００２４】
ピン部分９ａは、その自由端において、ピンを回転させる操作ツールと係合するように適切に形成された表面を有する。図６に示すように、上記表面を、例えば、ドライバー用の溝として形成することができる。
【００２５】
中間部９ｂは、各部分９ａ，９ｃより小さいため、中間部９ｂの断面の輪郭は、軸方向において、各部分９ａ，９ｃの断面の輪郭より小さい。このような形状によって、ピン９は、ピン中間部９ｂによる干渉を受けることなく開口部２０内に挿入され、中間部９ｂは、座部１３の空洞内に収容される。
【００２６】
また、ピン部分９ｂは、分枝部１０ａ，１０ｂの対が座部１３内に挿入されたときに、分枝部の対の間に位置することができる。さらに、ピン部分９ｂの形状は、ピン９が第１の位置まで回転されたときに当該部分９ｂが分枝部１０ａ，１０ｂから一定の距離を保つように、また、ピン９が第２の位置まで回転されたときにピン部分９ｂが分枝部と干渉するように、選択される。この干渉によって、分枝部には、各分枝部が互いから離れて座部１３の対応する壁面１５ａ，１５ｂにそれぞれ当接するように弾性応力が加えられて、第１の取付け要素と第２の取付け要素とが相対的に係合される。
【００２７】
上述した機能を実現するために、ピン中間部９ｂは、軸方向に非対称な輪郭を有するように適切に形成される。図８を参照すると、好ましい実施例において、ピン中間部９ｂは、楕円形の断面形状を有し、特に、ピン９の軸を中心とする楕円状の輪郭９ｄを有するように形成される。
【００２８】
図９に示す第２の実施例では、ピン部分９ｂは、部分円形の断面形状を有し、具体的には、２つの基部を含む部分円部の形状を有する。その断面の輪郭は、対向する一対の円弧部９ｅを含む。円弧部９ｅは、部分円形部の基部を画定する一対の直線部９ｆに繋がる。
【００２９】
当該取付け装置は、以下のように機能する。
【００３０】
図１０および図１１に示すように、最初の組立て工程において、ピン９は、開口部２０内に挿入され、これにより、ピン部分９ａ，９ｃは、開口部２０の孔２０ｂ，２０ａに回転可能に係合する。この位置では、ピン中間部９ｂは、座部の対向する壁面１５ａ，１５ｂの間で、横方向の寸法がより小さい部分（例えば、図８に示す楕円状の輪郭の短軸、または図１７に示す部分円形部の基部同士の間の距離）を示すように向けられ、これにより、分枝部を干渉なしに確実に座部に差し込むことができる。
【００３１】
ブリッジ７を特定のリム５（図１３）に近づけることによって、分枝部１０ａ，１０ｂは、口部１３ａを介して座部１３内に摺動可能に挿入される。各分枝部は、結合遊びを少々有しながらピン部分９ｂと対応する壁面１５ａ，１５ｂとの間に配置される。
【００３２】
この位置からピン９を、例えばヘッド部の溝に係合したドライバーを用いて、時計回りまたは反時計回りに９０度回転させると、ピン中間部の横方向の寸法がより大きい部分（楕円状の輪郭の長軸、または図１８に示す部分円形部の円弧部同士の間の直径距離）が分枝部同士の間に介在するように、中間部９ｂが分枝部と干渉する。この位置では、ピン９は、分枝部１０ａ，１０ｂを弾性的に互いから離れるように移動させ、座部の対応する壁面１５ａ，１５ｂにそれぞれ当接させ、接触する表面同士を互いにロックさせる。
【００３３】
鋸歯状の輪郭１２が設けられる場合、壁面１５ａ，１５ｂのそれぞれの表面に押圧される鋸歯部分によって、座部の壁面に対する表面把持力が改善される。
【００３４】
ロックは、装置に接続される構成部品を形成するために選択された材料にもよるが、恒久的なものであっても一時的なものであってもよい。
【００３５】
金属材料のような比較的硬い材料から形成されたブリッジ７と、プラスチック材料のような比較的柔らかいまたは柔軟な材料から形成されたリム（または前フレームの半部）とを組み合わせた場合、ブリッジ７の各分枝部１０ａ，１０ｂ上の鋸歯状の輪郭を用いることは、（相対的な把持のために輪郭の鋸歯部分がプラスチックに当接するため）一種の実質的に恒久的なロックのために有利に役立つ。
【００３６】
また、前フレーム４が、金属のような比較的硬い材料から形成された場合、または非常に硬いプラスチック材料から形成された場合、一時的なロックを実現することができる。この場合、ロック動作は、分枝部に対するピンの圧力のみに基づくため、鋸歯状の輪郭を設けなくてもよい。
【００３７】
なお、一時的な取付け手段を設けた場合、ピン９を第２の位置から第１の位置まで回転させて分枝部１０ａ，１０ｂに対するピン９の推力を相殺させることによって、装置３のロックを解除することができることに留意されたい。
【００３８】
また、分枝部がピン中間部９ｂ上に位置するときには、分枝部とピンの端部９ｃとの間に生じる干渉によって、分枝部は、開口部２０に先に挿入されたピンが抜け落ちることを防止することに留意されたい（図１９）。さらに、リム５の肉厚部に形成され且つピン挿入孔２０ｂに対向する孔２０ａ内に、ピンの端部９ｃが収容されるため、ピンの横方向の移動も防止される。したがって、分枝部１０ａ，１０ｂが座部内に挿入されたときには、ピンは、それ自体の軸周りでのみ、移動自在である第１の位置からロック位置となる第２の位置まで回転可能となる。
【００３９】
本発明を理解し易いように細部の形状を意図的に強調して示した図２０および図２１を参照すると、本発明による装置の変形例では、座部１３が口部１３ａから底部１６に向けて徐々に広がっている。これは、具体的には、対向する壁面１５ａ，１５ｂの輪郭を底部に向けて互いから離れるように形成することで実現される。図２１は、ロック状態を模式的に示しており、（この場合、楕円状の断面形状を有する）ピン中間部９ｂが、分枝部１０ａ，１０ｂを（弾性変形を引き起こすように）対応する壁面１５ａ，１５ｂに押圧している状態を示す。
【００４０】
図２２および図２３は、座部１３が口部から底部１６に向けて徐々に狭まっているという点で上述した実施例と異なる別の実施例を示す。これは、対向する壁面１５ａ，１５ｂの輪郭を底部に向けて互いに近づくように形成することで実現される。この場合、分枝部１０ａ，１０ｂは、自由端に向けてテーパ状に形成された（座部１３に係合するよう意図された）端部をそれぞれ有するように形成される。変形していない状態の分枝部を図示する図２２が明確に示すように、分枝部のそれぞれのテーパ部は、壁面１５ａ，１５ｂのそれぞれの傾斜する輪郭に実質的に対応する傾斜輪郭線を有する。図２３は、ロック状態を模式的に示しており、（楕円状の断面形状を有する）ピン中間部９ｂが、分枝部１０ａ，１０ｂを（弾性変形を引き起こすように）対応する壁面１５ａ，１５ｂに押圧している状態を示す。
【００４１】
上述した中央ブリッジとレンズ保持リム（または前フレームのフレーム半部）との接続は、本発明の装置を用いて互いに取り付けることができるフレームの一対の構成部品の一例である。本発明を適用することができるフレームの構成部品の他の組み合わせ例を、以下に例示する。
【００４２】
組み合わせの一例では、ロック分枝部が、前フレームのフレーム半部に取り付けることができる上部ブリッジと一体形成され、座部とロックピンとが共にフレーム内に設けられる。上部ブリッジは、フレームの審美的効果のみのために設けられてもよく、または「汗止め」要素の支持体として機能するために設けられてもよい。
【００４３】
別の組み合わせ例では、ロック分枝部が、側方突起部（ヒンジ支持構造）内に配置され、前フレームのフレーム半部（または単一部品である前フレーム）に設けられた座部と係合する。突起部は、前フレームの半部（または前フレーム）に差し込まれ、アームは、ヒンジによって突起部に連結される。
【００４４】
別の組み合わせ例では、ヒンジ構造が、前フレーム（またはフレーム半部）をロックする座部とアームをロックする座部とに係合するよう意図されたロック分枝部を有する。ヒンジの一方の端部には、前フレームのためのプラグが設けられる。または、ヒンジの他方の端部には、アームのためのプラグが設けられる。
【００４５】
別の組み合わせ例では、ヒンジが、アームに形成された座部に係合するよう意図されたロック分枝部を有する。ヒンジは、突起部を用いた一般的な手段によって前フレームに取り付けられ、アームに差し込まれる。
【００４６】
別の組み合わせ例では、アームが、ヒンジ構造に形成された座部に係合するよう意図されたロック分枝部を有する。ヒンジの一方の端部は、突起部に取り付けられ、他方の端部には、アームに接続されるプラグが設けられる。
【００４７】
別の組み合わせ例では、アームは、アーム本体とは異なるアーム端部を有し、アーム端部には、アーム本体に形成されたロック座部に差し込まれるよう意図されたロック分枝部が設けられる。
【００４８】
したがって、本発明は、公知の解決手段と比較して前述した利点をもたらす一方で、提案された目的を達成する。
【００４９】
主な利点は、本発明の取付け装置によって、フレームの構成部品同士の簡単且つ迅速な嵌合を実現することができることであり、これは、互いに取り付けることができ且つ一時的または恒久的な取付けのために設計されるフレームの複数の構成部品の対に適用することができる。
【００５０】
さらなる利点は、本発明の取付け装置を作製するために必要な部品において、必要とされる機械加工の複雑さおよび準備される部品の数を低減することができることである。
【図１】
2019519817.tif 000003
【図２】
2019519817.tif 000004
【図３】
2019519817.tif 000005
【図４】
2019519817.tif 000006
【図５】
2019519817.tif 000007
【図６】
2019519817.tif 000008
【図７】
2019519817.tif 000009
【図８】
2019519817.tif 000010
【図９】
2019519817.tif 000011
【図１０】
2019519817.tif 000012
【図１１】
2019519817.tif 000013
【図１２】
2019519817.tif 000014
【図１３】
2019519817.tif 000015
【図１４】
2019519817.tif 000016
【図１５】
2019519817.tif 000017
【図１６】
2019519817.tif 000018
【図１７】
2019519817.tif 000019
【図１８】
2019519817.tif 000020
【図１９】
2019519817.tif 000021
【図２０】
2019519817.tif 000022
【図２１】
2019519817.tif 000023
【図２２】
2019519817.tif 000024
【図２３】
2019519817.tif 000025
【国際調査報告】
2019519817.tif 000026
2019519817.tif 000027